(57)【要約】      （修正有）【課題】特に小型犬が噛み易く、噛んだ際に歯を清掃する機能（ブラッシング機能）を有する簡単な構造の犬用ガムを提供する。【解決手段】長尺状の第一ガム部材２複数本と、シート状の第二ガム部材４と、を含み、前記第一ガム部材２複数本が、前記第二ガム部材４で巻回されている構造を有する。犬が当該犬用ガムを噛む場合、歯はまず外側に位置する巻回された第二ガム部材４（巻回体）を噛むことになるが、巻回体の内部に位置する長尺状の第一ガム部材２複数本がクッションの役割を果たすことから、又、巻回体の内部に適度な空間を有していることから、巻回体が硬くても犬は噛み易いという機能が発揮される。【選択図】図２
0003182656.tif 000002
【実用新案登録請求の範囲】
【請求項１】
長尺状の第一ガム部材複数本と、シート状の第二ガム部材と、を含み、前記第一ガム部材複数本が、前記第二ガム部材で巻回されている構造を有すること、を特徴とする犬用ガム。
【請求項２】
前記長尺状の第一ガム部材が短冊状であること、を特徴とする請求項１に記載の犬用ガム。
【請求項３】
前記第一ガム部材及び前記第二ガム部材が研磨材成分を含むこと、を特徴とする請求項１又は２に記載の犬用ガム。
【考案の詳細な説明】
【技術分野】
【０００１】
本考案は、犬用ガムに関し、なかでも小型犬に好適な犬用ガムに関する。
【背景技術】
【０００２】
従来、獣骨をかじって食い尽くそうとする犬の習性に着目し、犬用ガムを飼い犬である愛犬に与えて、愛犬のストレスの解消等に役立てている。この犬用ガムは、食事が比較的柔らかいものになり易い愛犬の噛む力を、衰えさせないようにするためのスナックとしても広く普及している。また、この犬用ガムは、噛むことで歯垢等を除去する効果（歯磨き効果）も有している。
【０００３】
この犬用ガムとして一般に知られているものとしては、例えば、牛皮を粗粉砕して得られた粉砕物を、食品用結着剤と混合して押出成形し、スティック状、棒状又は短冊状の成形物としたものや（例えば、特許文献１参照）、短冊状の成形物や短冊状に裁断した牛皮を幅方向に丸め、長手方向両端を玉結びにして、骨状に形成したもの等がある。また、例えば、図１に示すように、シート状の成形物又は牛皮を巻回し、両端に切り目１０ａを入れた構造の犬用ガム１０も知られている。
【先行技術文献】
【特許文献】
【０００４】
【特許文献１】特開平１１−１２７７９６号公報
【考案の概要】
【考案が解決しようとする課題】
【０００５】
しかしながら、図１に示す構造の犬用ガムに代表される従来の犬用ガムの場合、粉砕していない牛皮をそのまま裁断して形成していることから、特に購入直後の噛み初めの際には硬く、小型犬にとっては噛みにくいという問題があった。他方、愛犬家にとっては小型犬の歯の健康状態は気になるものであり、小型犬の歯の健康にとって効果的な機能を有する犬用ガムが求められているという実情もある。また、上記特許文献１に記載の犬用ガムは、小型犬にとっても食べ易いが、形状が棒状等で単純で小型犬が飽きてしまったり、食べ易くするために柔らかくし過ぎるとデンタル効果が薄れてしまったりするという問題もある。
【０００６】
そこで、本考案の目的は、特に小型犬が噛み易く、噛んだ際に歯を清掃する機能（ブラッシング機能）を有する簡単な構造の犬用ガムを提供することにある。
【課題を解決するための手段】
【０００７】
上記の課題を解決すべく、本考案は、長尺状の第一ガム部材複数本と、シート状の第二ガム部材と、を含み、前記第一ガム部材複数本が、前記第二ガム部材で巻回されている構造を有すること、を特徴とする犬用ガムを提供する。
【０００８】
このような構成を有する本考案の犬用ガムによれば、犬が当該犬用ガムを噛む場合、歯はまず外側に位置する巻回された第二ガム部材（巻回体）を噛むことになるが、巻回体の内部に位置する長尺状の第一ガム部材複数本がクッションの役割を果たすことから、又、巻回体の内部に適度な空間を有していることから、巻回体が硬くても犬は噛み易いという機能が発揮される。
【０００９】
また、噛み続けられることにより、犬の唾液等で軟化した場合、歯が巻回体の内部に入り込むこともあるが、この際、内部の第一ガム部材複数本に接しながらこれらの間隙に入り込むため、歯が第一ガム部材複数本によってブラッシングされ、歯が清掃されるという機能も発揮される。
【００１０】
上記本考案の犬用ガムにおいては、前記長尺状の第一ガム部材がそれぞれ短冊状であってもよい。この場合、短冊状の第一ガム部材複数本は、それぞれの面が対向するように綺麗に積層されていてもよいが、ランダムに束ねられていてもよい。
【００１１】
このような構成を有する本考案の犬用ガムによっても、上記と同様の機能を発揮することができる。
【００１２】
なお、本考案の犬用ガムは、犬であればどのような種類、性別又は年齢の犬にも与えることができるが、特に小型犬に好適である。
【考案の効果】
【００１３】
本考案によれば、特に小型犬が噛み易く、噛んだ際に歯を清掃する機能（ブラッシング機能）を有する簡単な構造の犬用ガムを実現することができる。
【図面の簡単な説明】
【００１４】
【図１】犬用ガムの一例の概略側面図である。
【図２】本考案の犬用ガムの一実施形態を示す概略側面図である。
【図３】本考案の犬用ガムの一例を複数本並べた様子を示す写真である。
【考案を実施するための形態】
【００１５】
以下において、本考案の犬用ガムの代表的な実施形態について、図面を参照しつつ詳細に説明するが、本考案はこれらのみに限定されるものではない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１６】
ここで、図２は、本考案の犬用ガムの一実施形態を示す概略側面図である。本実施形態の犬用ガム１は、複数本の短冊状の第一ガム部材２と、シート状の第二ガム部材４と、を含み、複数本の第一ガム部材２が、第二ガム部材４で巻回されている構造を有する。即ち、本実施形態の犬用ガム１においては、外側に位置する第二ガム部材４が巻回体の形状を有しており、その内部に複数本の短冊状の第一ガム部材２が束ねられて配置されている。
【００１７】
本実施形態の犬用ガム１において、短冊状の第一ガム部材２は、第二ガム部材４からなる巻回体の内部において束ねられている。ただし、短冊状の第一ガム部材２はそれぞれ、例えば後述するように乾燥工程を経て作製され、硬さを有するとともに、表面が必ずしも平坦ではなく凹凸を有している。そのため、複数本の第一ガム部材２の間には空隙が形成されている。
【００１８】
更に、犬用ガム１の両端部、即ち、第二ガム部材４からなる巻回体の両側においては、短冊状の第一ガム部材２が犬用ガム１の長さ方向に対して所定の角度を有するように放射状に若干曲げられて広げられている。これは、第一ガム部材２が第二ガム部材４からなる巻回体から容易に抜けることを防ぎ、又、犬用ガム１が床に置かれた状態でも犬が口を使って拾い上げ易いという観点から、好ましい形状である。もっとも、本考案に係る犬用ガムにおいては、必ずしも上記のように第一ガム部材２が放射状に広げられている必要はない。
【００１９】
このような構成を有する本実施形態の犬用ガム１によれば、犬が犬用ガム１を噛む場合、歯はまず外側に位置する巻回された第二ガム部材４（巻回体）を噛むことになるが、巻回体の内部に位置する複数本の短冊状の第一ガム部材２がクッションの役割を果たすことから、巻回体が硬くても犬は噛み易い。
【００２０】
また、犬用ガム１が噛み続けられると、犬の唾液等で軟化し、歯が第二ガム部材４からなる巻回体の内部に入り込むこともあるが、この際、歯は、内部に位置する複数本の第一ガム部材２に接しながらこれらの間隙に入り込むため、歯が第一ガム部材２によってブラッシングされて清掃されるという側面もある。
【００２１】
本実施形態の犬用ガム１を構成する第一ガム部材２及び第二ガム部材４は、それぞれ主原料として研磨材成分（即ち、歯磨き効果に適した、ある程度の硬さを有する素材）である獣皮成分を含む材料（混合物）からなる成形物である（牛皮等の獣皮成分そのもので構成されている場合を含む。）。即ち、第一ガム部材２及び第二ガム部材４は、主原料として獣皮成分を含む材料（混合物）を成形することにより得られるものである。なお、本実施形態では、研磨材成分である獣皮成分を含む場合について説明しているが、牛皮等の獣皮成分を含まず、米粉やでん粉等を主原料として含んでもよい。
【００２２】
ここでいう獣皮成分とは、獣皮、獣副産物及び獣皮派生品のいずれかである。獣皮としては、例えば牛皮、馬皮、やぎ皮及びブタ皮等が挙げられ、獣副産物としては、例えば牛及びブタ等の獣の内蔵及び骨髄等が挙げられ、更に、獣皮派生品としては、例えばバック及び靴等の獣皮製品を製造する際に発生した切り屑等が挙げられる。
【００２３】
また、第一ガム部材２及び第二ガム部材４は、上記主原料に加えて、例えば副原料及び食品用結着剤（バインダー）を含む。かかる副原料としては、例えば牛肉粉、鶏肉粉、骨粉、魚粉及びゼラチン等が挙げられ、食品用結着剤としては、例えばこんにゃく、寒天、穀粉、でん粉類、グルテン及び米粉等が挙げられる。
【００２４】
更に、第一ガム部材２及び第二ガム部材４は、香料、炭酸カルシウム等の任意成分を含んでもよい。香料としては、例えばバニリン（ミルクフレーバー又はバニラフレーバー）、ビーフフレーバー、ポークフレーバー、コーンフレーバー、パイナップルフレーバー、グレープフレーバー及びミントフレーバー等が挙げられる。
【００２５】
次に、本実施形態の犬用ガム１の製造方法について説明する。
本実施形態の犬用ガム１は、粉砕牛皮から製造することができる。まず、前処理として、粉砕牛皮を金属探知機にかけ、愛犬が誤って食しないように金属物が含まれていないかどうかを確認する。金属物があった場合は適宜除去する。
【００２６】
その後、粉砕牛皮とその他の原料を混合して原料混合物を得て、上記の原料混合物から常法によりシート状成形体を得る。
【００２７】
そして、得られたシート状成形体から、図２に示す犬用ガム１を構成する短冊状の第一ガム部材２と、シート状の第二ガム部材４と、を切断により作製し、複数本の第一ガム部材２を、第二ガム部材４で巻回し、全体を例えばゴムバンドで固定し、第一ガム部材２の両端を外側に広げる。
【００２８】
この状態で、乾燥（殺菌も含んでもよい。）と、を行い、自然冷却させ（この際に水分値を調整する。）、ゴムバンドを外し、図３に示すように、図２に示す構造を有する本実施形態の犬用ガム１を得ることができる。
【００２９】
以上、本考案の犬用ガムの一実施形態について説明したが、本考案はこれらのみに限定されるものではない。例えば、上記実施形態においては、長尺状の第一ガム部材が短冊状である場合について説明したが、長尺状の第一ガム部材は、例えば棒状（横断面は円状、楕円状、矩形状等のいずれでもよい。）、紐状、糸状又は薄板状等であってもよい。
【符号の説明】
【００３０】
１・・・犬用ガム、
２・・・短冊状の第一ガム部材２、
４・・・第二ガム部材。
【図１】
0003182656.tif 000003
【図２】
0003182656.tif 000004
【図３】
0003182656.tif 000005